(57)【要約】【課題】メカシャッタを用いずに高精細な静止画を撮影する。【解決手段】レンズを介した被写体像を固体撮像素子で電気信号に変換し、ＡＦＥにてアナログ処理〜ＡＤ変換し、デジタル信号に変換された画像信号はフィールド毎にメモリに書き込まれる。メモリに書き込まれているフィールド画像とＡＦＥから出力されているフィールド画像の連続した４フィールド画像を基に動き検出を行い、第１の動き情報Ｄ１と第２の動き情報Ｄ２を出力する。フレーム合成部はフレーム画像を生成する際に第１の動き情報Ｄ１と第２の動き情報Ｄ２により、ＡフィールドとＢフィールド間での動き部分について、補間処理を行いメモリに書き込む。カメラ信号処理部はＡＦＥから出力される画像データおよびメモリに書き込まれたフレーム画像を読み出して得られる画像に対して輝度、色信号生成、γ処理、輪郭補正などのカメラ画像に必要な処理を行う。【選択図】図１
2005086731.tif 000002
【特許請求の範囲】
【請求項１】
レンズと、前記レンズを介した光を電気信号に変換する固体撮像素子と、前記固体撮像素子の出力信号をアナログ処理した後デジタル信号に変換する変換手段と、前記デジタル信号を蓄積する書き換え可能な記憶手段と、画像の動き部分を検出する動き検出手段と、２つのフィールド画像を合成してフレーム画像を生成するフレーム合成手段とを備え、前記動き検出手段は、前記記憶手段に蓄積された複数フィールドの画像を用いて動き部分の動きレベルを検出して出力し、前記フレーム合成手段は、前記複数フィールドの画像のうち連続する少なくとも２フィールド画像に対して前記動き検出手段で検出された動きレベルに応じて異なる補間処理を施して合成してフレーム画像を生成して出力することを特徴とする撮像装置。
【請求項２】
レンズと、前記レンズを介した光を電気信号に変換する固体撮像素子と、前記固体撮像素子の出力信号をアナログ処理した後デジタル信号に変換する変換手段と、前記デジタル信号を蓄積する書き換え可能な記憶手段と、画像の動き部分を検出する動き検出手段と、２つのフィールド画像を合成してフレーム画像を生成するフレーム合成手段を備え、前記動き検出手段は、前記記憶手段に蓄積された画像および前記デジタル信号による連続した４フィールドの画像を用いて動き部分の動きレベルを検出して出力し、前記フレーム合成手段は、前記連続した４フィールドの画像のうち連続する２フィールド画像に対して前記動き検出手段で検出された動きレベルに応じて異なる補間処理を施して合成してフレーム画像を生成して出力することを特徴とする撮像装置。
【請求項３】
動き検出手段は、連続した４フィールドの画像において、Ａフィールド画像間の差分Ａと、Ｂフィールド画像間の差分Ｂを求め、前記差分Ａもしくは前記差分Ｂが大きいほど動きである確率が高いとして動きレベルを上げるように構成されることを特徴とする請求項２記載の撮像装置。
【請求項４】
フレーム合成手段は、フレーム画像生成時、連続する２フィールド画像のうち片方のフィールド画像を用いずにもう片方のフィールド画像を補間して合成するフィールド補間処理と、前記連続する２フィールド画像を合成したフレーム画に対して画像の空間位置が変わらないように垂直方向にフィルタ処理をするフレーム補間処理と、前記連続する２フィールド画像を合成したフレーム画をそのままにする処理とを、前記動きレベルに応じて切り替えてフレーム画像を生成することを特徴とする請求項２記載の撮像装置。
【請求項５】
フレーム合成手段は、フレーム画像生成時、前記連続する２フィールド画像のうち片方のフィールド画像を用いずにもう片方のフィールド画像を補間して合成するフィールド補間処理と、前記連続する２フィールド画像を合成したフレーム画に対して画像の空間位置が変わらないように垂直方向にフィルタ処理をするフレーム補間処理と、前記連続する２フィールド画像を合成したフレーム画をそのままにする処理とを、前記動きレベルに応じて切り替えてフレーム画像を生成し、生成したフレーム画像を分割して出力することを特徴とする請求項２記載の撮像装置。
【発明の詳細な説明】
【技術分野】
【０００１】
本発明は、ビデオカメラ、デジタルスチルカメラ等、固体撮像素子を有する撮像装置に関するものである。
【背景技術】
【０００２】
ビデオカメラ等、固体撮像素子を有する撮像装置において、静止画撮影時は固体撮像素子が一定の期間露光したあとメカシャッタを閉じて１フィールド期間以上の時間をかけて固体撮像素子からフィールドの信号量以上の信号を読み出して静止画を生成するのが一般的である。通常、動画撮影時は固体撮像装置からの読み出しはフィールド期間内にフィールドの信号量を読み出すため、静止画撮影時は動画は撮影できないことになる。
【０００３】
動画を撮影しながら静止画を撮影するには動画の連続する２つのフィールド画像を合成して１つのフレーム画像を生成する方法があるが、被写体がフィールド間で動いている場合、その動き部分はフレーム画とした場合「ぶれ」となってしまう。このぶれを補正して静止画を生成する方法として特開平１１−１８７３０６号公報に記載されたものが知られている。
【０００４】
図８は従来の撮像装置の構成図であり、レンズ８１を通った映像は固体撮像素子８２で光電変換され、ＣＤＳ／ＡＧＣ／ＡＤＣを１チップ化したＩＣ８３で信号成分がサンプリングされ、適度な振幅に調整された信号がデジタル変換される。デジタル信号処理ＩＣ８７はカメラ信号処理部８７ａ、デジタルオート部８７ｃ、同期信号発生部８７ｄ、マイコンインタフェース部８７ｅ、クロック発生部８７ｆ、周波数変換部８７ｇ、電子ズーム部８７ｂから成り、ＩＣ８３から出力された信号はカメラ信号処理部８７ａにてγ処理、輪郭補正などの輝度信号処理、色差生成のための色信号処理が施される。ＩＣ８４は固体撮像素子８２の駆動パルスやＩＣ８３でのサンプリングパルスを発生する。８５ａは水平各速度センサー、８５ｂは垂直各速度センサーであり、手ぶれを検出する。８８ａ、８８ｂはフィールドメモリである。
【０００５】
以上のように構成された従来の撮像装置について、以下その動作について説明する。
【０００６】
手ぶれ検出は、角速度センサーとして水平角速度センサー８５ａ、垂直角速度センサー８５ｂの２個を使い、マイコン８６にて積分演算等を行うことによって、手ぶれ補正データを得る。垂直方向の手ぶれ補正はＣＣＤイメージセンサー８２を駆動するタイミング発生器８４で、高速垂直転送パルス数を操作することによって、垂直方向の任意の信号の切り出しを行う。また、水平方向の手ぶれ補正は周波数変換部８７ｇに内蔵されたデュアルポートのラインメモリを使って、周波数変換を行ないながら、水平方向の任意の信号の切り出しを行う。垂直方向の電子ズームは外部のフィールドメモリ８８ａ及び８８ｂを使い、水平方向の電子ズームは電子ズーム部８７ｂに内蔵されたラインメモリを使って補間演算する。
【０００７】
また、静止画記録時は２フィールド分のデータの相関を演算することにより動き検出を行い、いわゆるクリアフレーム処理を行う。出力としては、動画はデジタルＶＴＲフォーマットでインターフェースし、デジタルＶＴＲ記録系に出力し、静止画はデジタルスチルフォーマットでインタフェースし、ＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）記録系に出力する。
【０００８】
以上のように従来の撮像装置は、静止画記録時、フィールドメモリ８８ａ、８８ｂに蓄積された２フィールド分のデータの相関を演算することにより動き検出を行い、いわゆるクリアフレーム処理を行う。
【特許文献１】特開平１１−１８７３０６号公報（第１図）
【発明の開示】
【発明が解決しようとする課題】
【０００９】
しかしながら従来の撮像装置では、静止画はクリアフレーム処理にて生成するが、クリアフレーム処理時、２フィールド分のデータの相関を演算することにより動き検出を行なっている。２フィールドで動き検出すると、フレームの状態でラインごとに濃淡があるような被写体である場合、フレームを構成する２つのフィールドは異なる値になるため静止している被写体にもかかわらず動きと誤判断し、クリアフレーム処理時に高精細な画像を生成できないという課題を有している。
【００１０】
本発明は上記問題点に鑑み、連続する２フィールド画像から高精細なフレーム静止画を生成することができるためメカシャッタ機能を使わないで高精細な静止画を撮影することができる撮像装置を提供することを目的とする。
【課題を解決するための手段】
【００１１】
この目的を達成するために本発明の撮像装置は、レンズと前記レンズを介した光を電気信号に変換する固体撮像素子と、前記固体撮像素子の出力信号をアナログ処理した後デジタル信号に変換する手段と、前記デジタル信号を蓄積する書き換え可能なメモリと、画像の動き部分を検出する動き検出部と、２つのフィールド画像を合成してフレーム画像を生成するフレーム合成部を備え、前記動き検出部は前記メモリに蓄積された画像および前記デジタル信号による連続した４フィールドの画像を用いて動き部分の動きレベルを検出して出力し、前記フレーム合成部は、前記連続した４フィールドの画像のうち連続する２フィールド画像に対して前記動き検出部で検出された動きレベルに応じて異なる補間処理を施して合成してフレーム画像を生成して出力する事を特徴とする。
【発明の効果】
【００１２】
本発明の撮像装置は、連続する２フィールド画像から高精細なフレーム静止画を生成することができるためメカシャッタ機能を使わないで高精細な静止画を撮影することができる。
【発明を実施するための最良の形態】
【００１３】
本発明の請求項１〜５に記載の発明は、レンズと、前記レンズを介した光を電気信号に変換する固体撮像素子と、前記固体撮像素子の出力信号をアナログ処理した後デジタル信号に変換する変換手段と、前記デジタル信号を蓄積する書き換え可能な記憶手段と、画像の動き部分を検出する動き検出手段と、２つのフィールド画像を合成してフレーム画像を生成するフレーム合成手段とを備え、前記動き検出手段は、前記記憶手段に蓄積された複数フィールドの画像を用いて動き部分の動きレベルを検出して出力し、前記フレーム合成手段は、前記複数フィールドの画像のうち連続する少なくとも２フィールド画像に対して前記動き検出手段で検出された動きレベルに応じて異なる補間処理を施して合成してフレーム画像を生成して出力するものであり、これにより、連続する２フィールド画像から高精細なフレーム静止画を生成することができるためメカシャッタ機能を使わないで高精細な静止画を撮影することができるという作用を有する。
【００１４】
以下、本発明の実施の形態について、図１から図７を用いて説明する。
【００１５】
（実施の形態１）
図１は、本発明の撮像装置の実施の形態１の構成を示すブロック図であって、１はレンズ、２はレンズ１からの光学信号を結像し電気信号に変換して出力する固体撮像素子、３は固体撮像素子２からの電気信号に対してアナログ信号処理およびアナログ／デジタル変換（ＡＤ変換）を行うＡＦＥ、４はメモリ、５はＡＦＥ３からの映像信号とメモリ４からの映像信号とにより被写体画像の動き検出を行う動き検出手段である動き検出部、６は動き検出部５からの動き情報に基づきＡＦＥ３及びメモリ４からのフィールド画像からフレーム画像を合成するフレーム合成手段であるフレーム合成部、７はＡＦＥ３から出力される画像データおよびメモリ４に書き込まれた画像を１ライン毎交互に読み出すことで得られるフレーム画像データに対して輝度、色信号生成、γ処理、輪郭補正などのカメラ画像に必要な処理を行うカメラ信号処理手段であるカメラ信号処理部である。
【００１６】
以上のように構成された本発明の実施の形態１について、以下にその動作を説明する。
【００１７】
レンズ１を介した被写体像は固体撮像素子２で電気画像信号に変換されインターレース読み出しされ、ＡＦＥ３にてアナログ処理をした後、デジタル信号に変換される。デジタル信号に変換された画像信号はフィールド毎にメモリ４に書き込まれる。
【００１８】
ここで、画像信号はＡ０、Ｂ０、Ａ１、Ｂ１というフィールドの順番で固体撮像素子２から出力されているものとすると、動き検出部５はメモリ４に書き込まれているＡ０、Ｂ０、Ａ１フィールド画像とＡＦＥ３から出力されているＢ１フィールド画像の連続した４フィールド画像を基に動き検出を行い、第１の動き情報Ｄ１と第２の動き情報Ｄ２とを出力する。
【００１９】
フレーム合成部６は、Ｂ１フィールド画像とその対となるＡ１フィールド画像とでフレーム画像を生成するが、その際に第１の動き情報Ｄ１と第２の動き情報Ｄ２とにより、Ａ１フィールドとＢ１フィールド間での動き部分について、補間処理を行い、Ａ１’、Ｂ１’としてメモリ４に書き込む。
【００２０】
カメラ信号処理部７は、ＡＦＥ３から出力される画像データおよびメモリ４に書き込まれたＡ１’、Ｂ１’を１ライン毎交互に読み出すことで得られるフレーム画像データに対して輝度、色信号生成、γ処理、輪郭補正などのカメラ画像に必要な処理を行う。
【００２１】
図２は実施の形態１における動き検出部５の構成を示すものであり、図中２１ａ、２１ｂは減算器であり、２２ａ、２２ｂは入力値を絶対値化する絶対値部である絶対値部であり、２３ａ、２３ｂ、２４ａ、２４ｂは比較器であり、２５、２６はＯＲ回路である。
【００２２】
以上のように構成された動き検出部５について以下にその動作を説明する。
【００２３】
連続した４フィールド画像Ａ０、Ｂ０、Ａ１、Ｂ１に対して、減算器２１ａ、２１ｂにおいて同じ空間位置のフィールド同士の差分を演算し、絶対値部２２ａ、２２ｂによりそれぞれの差分を絶対値化し、ｓｕｂＡ、ｓｕｂＢとして出力する。（式１Ａ、式１Ｂ）
ｓｕｂＡ  ＝  ｜Ａ１−Ａ０｜  ・・・  （式１Ａ）
ｓｕｂＢ  ＝  ｜Ｂ１−Ｂ０｜  ・・・  （式１Ｂ）
比較器２３ａは絶対値化されたＡフィールドの差分ｓｕｂＡと比較値ａ１を比較し、ｓｕｂＡ≧比較値ａ１の場合「１」を出力し、それ以外は「０」を出力する。
比較器２４ａは絶対値化されたＡフィールドの差分ｓｕｂＡと比較値ａ２を比較し、ｓｕｂＡ≧比較値ａ２の場合「１」を出力し、それ以外は「０」を出力する。
比較器２３ｂは絶対値化されたＢフィールドの差分ｓｕｂＢと比較値ｂ１を比較し、ｓｕｂＢ≧比較値ｂ１の場合「１」を出力し、それ以外は「０」を出力する。
比較器２４ｂは絶対値化されたＢフィールドの差分ｓｕｂＢと比較値ｂ２を比較し、ｓｕｂＢ≧比較値ｂ２の場合「１」を出力し、それ以外は「０」を出力する。
【００２４】
以上の処理は、同じ空間位置のフィールド同士を比較した場合、静止している部分はそれぞれ同じ値になり、動いている部分は違う値になるため同じ空間位置のフィールド同士の差分が大きいほどその画素は動いている可能性が高いため、比較器の出力値が１か０かでその画素は動き部分の画素か否かを示していることになる。
【００２５】
ＯＲ回路２５は比較器２３ａと２３ｂの出力のＯＲをとって第１の動き情報Ｄ１として出力し、ＯＲ回路２６は比較器２４ａと２４ｂの出力のＯＲをとって第２の動き情報Ｄ２として出力する。ここで、比較値ａ１、比較値ａ２、比較値ｂ１、比較値ｂ２は書き換え可能な任意の値であり、比較値ａ１≧比較値ａ２、比較値ｂ１≧比較値ｂ２とすることで、Ｄ１はＤ２に比べより動きらしさの高い情報とする。
【００２６】
図３は実施の形態１におけるフレーム合成部６の構成を示すものであり、図中３１は画像データを１ライン分遅延させる第１の遅延手段である第１の遅延器であり、３２は入力される２つのデータを補間処理する第１の補間手段である第１の補間部であり、３３は選択手段であるセレクタであり、３４は画像データを１ライン分遅延させる第２の遅延手段である第２の遅延器であり、３５、３６は入力される３つのデータを用いて補間処理をする第２及び第３の補間手段である第２及び第３の補間部であり、図中（）内の数字はＡ１、Ｂ１で生成されるフレーム画像の相対的なライン位置を示しており、以下にその動作を説明する。
【００２７】
フレーム合成部６には連続した２フィールド画像Ａ１、Ｂ１が入力され、Ｂ１はＡ１に対し、空間位置が１ライン上のフィールド画像としている。第１の補間部３２はＡ１（３）と１ライン遅延したＡ１（１）とでＢ１（２）のライン位置の画像を補間生成し、これをＢ１ｈとする。
【００２８】
セレクタ３３は第１の動き情報Ｄ１が１である場合、Ａ１の補間で生成されたＢ１ｈを選択し、Ｄ１が０である場合Ｂ１（２）そのものを選択して第１の動き補正されたＢ１画像ｍＢ１として出力する。
【００２９】
第２の遅延器３４は動き補正されたＢ１画像ｍＡ１を１ライン分遅延させ、第２の補間部３５は１ライン分遅延したｍＢ１画像（０）と、１ライン分遅延したＡ１画像（１）と、ｍＢ１画像（２）の連続する３ラインの画像に対して第２の動き情報Ｄ２が「１」である場合フィルタ処理を施して出力し、Ｄ２が０である場合、１ライン分遅延したＡ１そのものを出力し、これを動き補正されたＡ１画像Ａ１’とする。
【００３０】
第３の補間部３６は１ライン分遅延したＡ１画像と（１）、ｍＢ１画像と（２）、Ａ１画像（３）の連続する３ラインの画像に対して第２の動き情報Ｄ２が１である場合、フィルタ処理を施して出力し、Ｄ２が「０」である場合１ライン分遅延したｍＢ１画像そのものを出力し、これを動き補正されたＢ１画像Ｂ１’とする。
【００３１】
図４は上述した動作における画像のイメージを示したものであり、（ａ）は連続する４フィールド間の被写体の状態を表しており、ｏ１は静止している垂直方向に濃淡を繰り返す被写体であり、ｏ２は矢印方向に移動している被写体である。（ｂ０）、（ｂ１）、（ｂ２）、（ｂ３）は連続する４フィールドであるＡ０、Ｂ０、Ａ１、Ｂ１の画像であり、それぞれのｏ１、ｏ２（ａ）で説明した被写体である。（ｃＡ）、（ｃＢ）はそれぞれＡ０とＡ１間での動き検出情報とＢ０とＢ１間での動き検出情報を示しており、ｍＡ、ｍＢはそれぞれの動き部分を示すものである。動き検出は図２で説明したように同一フィールド間の差分（図２中、  ｓｕｂＡ、ｓｕｂＢ）で検出するため、静止部分（被写体ｏ１）は差分が無く、動き部分（被写体ｏ２）の部分のみが検出される。（ｄ）は（ｃＡ）（ｃＢ）をＯＲしたものであり、ｍＡＢが４フィールド間の動き部分を示すものである。（ｒ）はＡ１とＢ１をそのまま合成したフレーム画像であり、動き部分（被写体ｏ２）はブレた画像となってしまう。（ｅ）はＡ１とＢ１を合成したフレーム画像であり、（ｄ）におけるｍＡＢ部分はＢ１を用いず、Ａ１を補間して生成しているため、（ｒ）でブレた画像となった被写体ｏ２はブレず、また、静止部分（被写体ｏ１）は高精細なフレーム画像として生成される。
【００３２】
以上の動作により、連続する２フィールド画像から高精細なフレーム静止画を生成することができるためメカシャッタ機能を使わないで高精細な静止画を撮影することができる。
【００３３】
なお、以上の説明では動き検出部において減算器１ａ、１ｂで得られる差分の絶対値で動き検出を行っていたが、減算器１ａ、１ｂで得られる差分に対してフィルタ処理を行ってから絶対値化し動き検出を行う構成にすればランダムノイズの影響を少なくし、誤動作を抑えることができる。
【００３４】
（実施の形態２）
図５は、本発明装置の実施の形態２の構成図であり、１はレンズ、２は固体撮像素子、３はアナログ処理およびＡＤ変換を行うＡＦＥ、５４は信号を一時的に記憶する記憶手段であるメモリ、５は動き検出手段である動き検出部、５６はフレーム合成手段であるフレーム合成部、７はカメラ信号処理手段であるカメラ信号処理部である。同図において１、２、３、５、７は図１の構成と同様であるのでここでの説明は省略する。図１と異なるのはメモリ５４とフレーム合成部５６の動作内容が変わった点であり、以下その動作について説明する。
【００３５】
まず、動き検出部５で検出した第２の動き情報Ｄ２はいったんメモリ５４に書き込まれる。フレーム合成部５６は第１の動き情報Ｄ１により、Ａ１フィールドに対し、動き部分について補間処理を行い、Ａ１’としてメモリ５４に書き込む。ここまでの処理をシーケンス１とする。
【００３６】
次に、メモリ５４からシーケンス１で書き込んだＡ１’を読み出し（ｍｅｍＡ１’）、Ｂ１を読み出し、シーケンス１で書き込んだ第２の動き情報Ｄ２を読み出し（Ｄ２ｍｅｍ）、フレーム合成後、Ｄ２ｍｅｍの値を基に補間処理を行い動き補正を行ったフレームデータＡＢ’としてメモリ５４に再度書き込む。この処理をシーケンス２とする。
【００３７】
図６は実施の形態２におけるフレーム合成部５６の構成を示すものであり、図中、６１は画像データを１ライン分記録できるラインメモリであり、６２は入力される２つのデータを補間処理する第１の補間手段である第１の補間部であり、６３はセレクタであり、６４は画像データを１ライン分記録できるメモリであり、６５、６６は入力される３つのデータを用いて補間処理をする第２及び第３の補間手段である第２及び第３の補間部であり、６７は選択手段であるセレクタである。図中（）内の数字はフィールドデータＡ１、Ｂ１で生成されるフレーム画像の相対的なライン位置を示しており、以下にその動作を説明する。
【００３８】
まずシーケンス１の処理では、フレーム合成部５６には連続した２フィールド画像Ａ１、Ｂ１が入力され、Ｂ１はＡ１に対し、空間位置が１ライン上のフィールド画像としている。第１の補間部６２はＡ１（３）とラインメモリ６１により１ライン遅延したＡ１（１）とでＢ１（２）のライン位置の画像を補間生成し、これをＢ１ｈとする。セレクタ６３は第１の動き情報Ｄ１が「１」である場合、Ａ１の補間で生成されたＢ１ｈを選択し、Ｄ１が「０」である場合Ｂ１（２）そのものを選択して第１の動き補正されたＢ１画像Ｂ１’として出力する。
【００３９】
シーケンス２の処理では、メモリ６４からｍｅｍＢ１’（２）とＡ１（３）とＤ２ｍｅｍを同じラインを２回繰り返して読み出す。ラインメモリ６１及び６４は１ラインおきに書き込み処理を行い、ラインメモリ６１及び６４の出力データは常時Ａ１、ｍｅｍＢ１’より１ライン前のデータを読み出すようにし、それぞれＡ１ｈ（０）、ｍｅｍＢ１’ｈ（１）とする。
【００４０】
第２の補間部６５は１ライン分遅延したｍｅｍＢ１’ｈ画像と（０）、１ライン分遅延したＡ１画像と（１）、ｍｅｍＢ１’画像（２）の連続する３ラインの画像に対して、メモリ５４から読み出した第２の動き情報ｍｅｍＤ２が「１」である場合フィルタ処理を施して出力し、ｍｅｍＤ２が「０」である場合１ライン分遅延したＡ１そのものを出力し、これを動き補正されたＡ１画像ｈＡ１とする。
【００４１】
第３の補間部６６は１ライン分遅延したＡ１画像と（１）、ｍｅｍＢ１’画像と（２）、Ａ１画像（３）の連続する３ラインの画像に対してメモリ５４から読み出した第２の動き情報ｍｅｍＤ２が「１」である場合フィルタ処理を施して出力し、Ｄ２が「０」である場合１ライン分遅延したｍｅｍＢ１’画像そのものを出力し、これを動き補正されたＢ１画像ｈＢ１とし、セレクタ７はｈＡ１とｈＢ１を１ライン毎に切り替えて出力することで、動き補正されたフレーム画像ＡＢ’として出力する。
【００４２】
図７はフレーム合成部５６で説明した信号のタイミングの模式図であり、Ｂ１入力、Ａ１入力、ｍｅｍＢ１’入力、ラインメモリ１出力、ラインメモリ２出力ｍｅｍＤ２入力それぞれを表す□は１ライン分のデータであり、□内の数値はフレームでのラインの順番である。
【００４３】
以上の動作により、連続する２フィールド画像から高精細なフレーム静止画を生成することができるためメカシャッタ機能を使わないで高精細な静止画を撮影することができる。
【産業上の利用可能性】
【００４４】
本発明にかかる撮像装置は、メカシャッタ用を用いずに撮影中の動画から、高精細な静止画を生成することによって、固体撮像素子を有するビデオカメラやデジタルカメラ等の用途にも適用できる。
【図面の簡単な説明】
【００４５】
【図１】本発明の実施の形態１に於ける撮像装置を示した構成を示すブロック図
【図２】本発明の実施の形態１に於ける動き検出部を示した構成を示すブロック図
【図３】本発明の実施の形態１に於けるフレーム合成部を示した構成を示すブロック図
【図４】本発明の実施の形態１に於ける撮像装置の動作による画像イメージを示した構成を示す模式図
【図５】本発明の実施の形態２に於ける撮像装置を示した構成を示すブロック図
【図６】本発明の実施の形態２に於けるフレーム合成部を示した構成を示すブロック図
【図７】同実施の形態における動作をシーケンス別に表した模式図
【図８】従来の撮像装置の構成を示すブロック図
【符号の説明】
【００４６】
１    レンズ
２    固体撮像素子
３    ＡＦＥ
４    メモリ
５    動き検出部
６    フレーム合成部
７    カメラ信号処理部
【図１】
2005086731.tif 000003
【図２】
2005086731.tif 000004
【図３】
2005086731.tif 000005
【図４】
2005086731.tif 000006
【図５】
2005086731.tif 000007
【図６】
2005086731.tif 000008
【図７】
2005086731.tif 000009
【図８】
2005086731.tif 000010